(57)【特許請求の範囲】
【請求項１】
特に紙幣カセット（１）又は他の有価物保管スペースに関連した、物品にマーキングする方法であって、
前記物品（１００）に隣接して、穴を開けるか他の方法で開口することができるプラスチック・フォイル・ケーシングからなる容器（６０）を配置し、
前記容器に収容された薬剤（６１）を前記物品（１００）と接触させ、それによって前記物品にマーキングし、および／または前記物品を使用不可能にするように、前記物品を窃盗する試みを検知した際に、バネ手段に連結されたワイヤまたはコードにより前記容器に沿って切断刃（１５）を移動させ、前記薬剤が前記容器（６０）から流れ出すようにしたことを特徴とする方法。
【請求項２】
前記容器に収容された前記薬剤（６１）が重力によって少なくとも部分的に前記物品（１００）と接触させられるように、前記容器（６０）を前記紙幣カセット（１）の上部領域に配置することを特徴とする請求項１に記載の方法。
【請求項３】
警報に反応して、前記切断刃（１５）を無効な休止位置から解除させ、それにより前記容器（６０）を切り開くことを特徴とする請求項１又は２に記載の方法。
【請求項４】
振動および／または温度に基づいて、前記切断刃（１５）の解除を起こさせることを特徴とする請求項３に記載の方法。
【請求項５】
物品、特に紙幣カセット（１）又は他のあらゆる有価物保管スペースに収容された物品にマーキングする装置であって、
該マーキング装置（１０）は、穴を開けるか他の方法で開口することができて、前記物品（１００）に隣接して設けられるプラスチック・フォイル・ケーシングからなる容器（６０）を備えると共に、
該マーキング装置は、前記容器に収容された薬剤（６１）が前記物品（１００）と接触して、それによって、該物品にマーキングし、および／または前記物品を使用不可能にするために、前記物品を窃盗する試みを検知した際に、前記薬剤が前記容器（６０）から流れ出すように、バネ手段に連結されたワイヤまたはコードにより前記容器に沿って移動する切断刃（１５）を備えることを特徴とする装置。
【請求項６】
前記切断刃（１５）は、前方（Ａ）に移動するときに、前記容器（６０）に穴を開け／開口しながら、無効な開始位置から有効な終点位置へと移動され得ることを特徴とする請求項５に記載の装置。
【請求項７】
該マーキング装置（１０）は、前記切断刃（１５）をその無効な開始位置に保持するように適合された解除機構（３０）を備えると共に、
該マーキング装置は、警報が作動されたときに、前記切断刃（１５）を前記無効な開始位置に保持する前記解除機構（３０）の能力を除去する手段を備えることを特徴とする請求項５または６に記載の装置。
【請求項８】
該マーキング装置（１０）は、前記容器（６０）から前記薬剤を強制的に空にする手段（８０）を備えることを特徴とする請求項５乃至７の内のいずれか１項に記載の装置。
【請求項９】
紙幣（１００）又は同様の有価物を液滴着色又は噴霧着色するために、支払機、自動預金支払機、自動現金支払機などの機械と共に前記マーキング装置（１０）を使用することを特徴とする請求項５乃至８の内のいずれか１項に記載の装置の使用。
【発明の詳細な説明】
【０００１】
本発明は、請求項１の前文において定義したように、物品マーキング方法に関する。本発明は、また、該方法を実行する装置、及びかかる装置の使用に関する。
【０００２】
現金支払機（cash dispenser）、自動預金支払機（automatic telling machine）などのいわゆる自動支払機に関して、その機械の内容物を窃盗する試みが為された場合に、紙幣に着色する機器が必要とされている。窃盗の試みは、例えば、現金支払機を爆破したり、破壊したり、あるいはガス切断機の助けを借りて切断して開くことなどによって行われることがある。
【０００３】
本発明の１つの目的は、必要に応じて、特に効果的な方法で、紙幣カセット又は他の種類の有価物保管容器の中に保管された物品にマーキングする方法及び装置を提供することである。この目的は、特許請求の範囲に記載した独特な特徴を有する方法及び装置で達成される。
【０００４】
本発明によってもたらされる利点には以下のようなものがある。
【０００５】
本発明にかかる方法及び装置は、液体容器に穴を開けさせるか他の方法で開口させることにより、容器内の液体が物品／複数の物品と接触して、特に効果的な方法で、該物品／複数の物品にマーキングし、および／または物品を使用不可能にする。
【０００６】
例えば、破壊薬剤を収容する容器の全長に沿ってスロットを形成することにより、その薬剤が重力によって、例えば紙幣の束の上に流れ出すことができるようになっている。
【０００７】
本発明にかかる装置は、あらゆる所望の大きさにすることができ、所望の要求の仕様に適合される。
【０００８】
本発明にかかる装置は、既存の支払機、自動預金支払機、紙幣自動支払機などの機械に適するように容易に適合することができる。本発明にかかる方法及び装置は、例えば、液滴で着色することや噴霧で着色することが望ましいときには、他の機器において使用することもできる。
【０００９】
本発明にかかる装置は、技術的な利点及び経済的な利点の両方を有する。
【００１０】
次に、本発明を、その例示的な実施形態を参照し、また付属の図面を参照して、更に詳細に説明する。
【００１１】
図１及び図２は、紙幣の束１００で満たしたいわゆる紙幣カセット１に取り付けられた、本発明にかかるマーキング装置１０を示している。図示したカセット１は、箱状の底部２とカバー３とを有する。カバーの下側、すなわち蓋３は、カセット１内での紙幣の正しい向きと整列とを確実にするガイドバー４を備える。図示してはいないが、カセット１は、通常、バネ付勢された紙幣払出装置を備える。かかる紙幣カセット１は、紙幣で満たされており、例えば、現金支払機、自動預金支払機、支払機などの機械において使用される。
【００１２】
本発明にかかるマーキング装置１０は、紙幣カセット１のカバー３の下に取り付けられるように設計されている。マーキング装置１０のマーキング機構は、この装置をカセット内に取り付けることに伴って装備される。
【００１３】
図３〜８から最もよく分かるように、マーキング装置１０は、ケーシング１１を含み、ケーシング１１は、突出した構造であることが好ましく、その底部に長手方向に延伸するスロット１２を有する。
【００１４】
マーキング装置１０は、２つのガイド１４に導かれながら、スロットすなわちスリット１２に沿って摺動するように適合された、往復台に載置された切断装置１３も備える。切断装置１３はその前端に、後方に傾斜している切断刃１５を有する。切断装置１３は、以下で機能を更に詳細に説明する穴１６も有する。
【００１５】
ワイヤ又はコード２０は、取り付け点２１で切断／開口装置１３に固定されており、コード２０は、スロット１２に沿って取り付け点２１から延びている。ワイヤ又はコード２０は、可動端壁１７に設けられた２つのブシュ２２及び２３の周囲で曲げられており、その後、曲げリング２４において曲げられてから、可動端壁１７の付近で外装ケーシング１１に対して固定されている。ワイヤ又はコードが装置を通って張られた様子は、図３から最もよく分かり、またこの図からは、ワイヤの曲げリング２４が、引張りばね２６の第一端２５に接続されており、引張りばねの他端２７は、ケーシングの後端１８でケーシング１１に対して固定されていることも分かる。
【００１６】
また、物品のマーキング装置１０は、鎖錠機構／解除機構３０を備え、該機構は、穴開け装置／開口装置／切断装置１３を未作動の開始位置に保持し、警報が作動されたときに切断装置を解除するように機能する。
【００１７】
鎖錠機構／解除機構３０は、回動解除ロッカ３２を有する。図４に示したように、解除ロッカ３２は、回動点３３上に回動可能に設けられており、切断装置１３の穴１６に挿入可能である切断刃保持ピン３４を備える。解除ロッカ３２は、解除機構の解除レベル又は解除感度を決定するバランスウェイト３６も備える。回動ピンの構成及びその傾斜角度は、所望の解除感度を得るように適合できる。
【００１８】
図面から明らかなように、引張りばね２６は、ケーシング１１の外側に設けられている。
【００１９】
また、マーキング装置１０は、その使用場所から離れたところで該装置を移動又は輸送することに伴う、すなわち、例えばマーキング装置１０が紙幣カセット１に設けられていないときに、物品のマーキング装置１０の故意でない作動を避ける安全機構４０を備える。
【００２０】
安全機構４０は、回動点４１に回動可能に設けられた安全ロッカ４２を備えており、この安全ロッカ４２は、安全位置では解除ロッカ３２の背後にあり、それによって解除ロッカが解除位置へと回動することを防止する、換言すれば、切断装置１３とのその係合を解除することを防止する凸縁４３を有する。この安全位置は、図７に示されている。一方、図８は、安全でない状態すなわち作動状態にある安全機構４０を示しており、その状態では、紙幣カセット１に設けられた作動ピン６が図８に示された位置に安全ロッカ４２を移動しており、その位置では、凸縁４３は、保持ピン３４が切断装置１３との係合を解除することを可能にするように回動することができるように、解除ロッカ３２の背後のその位置を離れている。必要に応じ、マーキング装置１０が紙幣カセット１内の使用位置に最終的に置かれるときに、作動ピン６がマーキング装置１０を作動する前に、安全ロッカ４２がその安全位置から故意ではなく、又は偶然に移動されないことを所望の力で確実にするように、永久磁石４６又はバネを取り付けてもよい。
【００２１】
図４に示したように、保護プレート５０は、切断装置１３がその開始位置に位置するときに、ケーシング内に設けられた容器６０が切断刃１５と当接することを防止するように、ケーシング１１内に設けられている。図６から分かるように、保護プレート５０は、警報が作動されたときに切断装置１３が保護プレート５０を通ることを可能にする凹部５１を有する。
【００２２】
容器６０は、例えば、破壊薬剤６１で満たされたプラスチック・フォイル・ケーシングの形態を有してもよい。破壊薬剤６１は、強い色で構成された液体又は着色剤を含んでもよく、それによって、必要に応じて、紙幣カセット１内の紙幣１００の着色／破壊を達成できる。従って、容器６０は、両端で密閉され、この状況で適切な液体で満たされたプラスチック・フォイル・ホースからなっていてもよい。
【００２３】
本発明にかかる物品のマーキング装置１０は、以下の方法で動作する。
【００２４】
マーキング装置１０は、例えば、取り外し可能な端壁１７を一時的に外すことにより、液体が満たされた容器６０を装填される。この段階で、切断装置１３は、その後方の無効な位置にあり、解除機構３０は、切断装置としっかり係合している。次に、端壁１７は、その通常の位置に戻されて、引張りばね２６が緊張される。解除機構３０は、安全機構４０によって安全にされる。
【００２５】
液体を満たした容器６０をしかるべく装填し、上記の方法で装備されたマーキング装置１０は、マーキング装置１０がカセット内に置かれたときに、紙幣カセットの作動ピン６がマーキング装置１０を作動するように機能する状態で、紙幣で満たされた紙幣カセット１のカバー３の下に取り付けられている。次に、紙幣カセット１は、支払機、自動預金支払機、自動現金支払機などに設けられる。
【００２６】
マーキング装置は、この機械に対する不正な攻撃の場合に、以下の方法で動作する。
【００２７】
例えば爆発物を用いてこの機械への侵入が試みられた場合には、切断刃保持ピン３４を切断装置１３との係合が解除するように作動させ、それによって引張りばね２６の動作の下でスロット１２に沿って、すなわち、矢印Ａの方向に移動するように切断装置を解除するために、解除機構３０が作動される。切断刃１５は、容器内の長いスリットを形成するように、切断機的方法で容器６０を通って前方に移動し、それによって、容器内の液体が重力の下で紙幣の上に流れ出ることができ、それによって紙幣１００を着色して、着色又はマーキングされたことによって紙幣を役に立たなくする。
【００２８】
従って、容器６０内の着色内容物／液体内容物は、比較的早くかつ非常に効率的に空になる。
【００２９】
上記の場合には、マーキング装置１０は、爆発の結果生ずる振動によって起動されて、紙幣を破壊する。
【００３０】
しかし、かかる振動が発生することなく、かかる機械を強制的に開く試みに対して反応する代替的な解除機構も本発明の範囲内で可能である。この点に関する一例は、例えば、切断トーチ又は他の何らかの方法で、機械を攻撃することにより生ずる温度の上昇に反応して、解除機構３０を作動するように適合されたワイヤ・システム７０を備える解除機構である。かかるワイヤ・システム７０は、図４において鎖線で示されている。
【００３１】
引張りバネ２６の引っ張り力は、容器６０が最初に穴を開けられるときに最大になるが、これはもちろん非常に有益なことであると言うことができる。ワイヤ２０の配置及びバネの配置は、もちろん、本発明の範囲内で変えてもよい。
【００３２】
図示されたラインの経路で達成される伝動は、切断装置が効果的な作業ストロークを実行することを確実にするのに十分である。バネは、通常、手動で張られたり引き延ばされたりする。
【００３３】
容器６０から液体内容物を強制的に空にするように機能するローラ又はプランジャ８０を、容器６０に隣接して、あるいは容器６０内の後端に設けてもよく、プランジャ８０は、警報が作動されたときに、矢印Ａの方向に切断刃の滑動部が引かれると、切断装置１３の影響の下で前方に移動される。
【００３４】
容器６０は、切断刃１５の前方移動の領域において、切断機的方法で、切断装置１３が容器６０に穴を開けることを可能にする弱部を有することを条件に、比較的しっかりした構造を有してもよいことを指摘しておかなければならない。更にしっかりした容器構造は、もちろん、容器のマーキング装置１０内への取り付けを簡単にする。
【００３５】
本発明にかかるマーキング装置１０の構造的設計は、いくつかの方法で修正又は変更することができると理解されるであろう。
【００３６】
例えば、説明し図示した構成要素は、機能的に均等な構成要素で置き換えることができる。ライン、例えば、ワイヤやコードが張られる方法やバネの配置に対する変更を行ってよいように、切断装置の設計及び切断刃の滑動部の設計の変更を行ってもよい。解除機構及び安全機構は、もちろん、図示した方法とは異なった多くの方法で変更してもよい。
【００３７】
基本的な形態の本発明にかかる装置は、電子装置を全く有さず、機械的構成要素間の手動の共同動作に基づいていることに留意されたい。
【００３８】
従って、本発明は、その図示し説明した実施形態には限定されず、特許請求の範囲内で変更や修正を行うことができる。
【図面の簡単な説明】
【図１】  紙幣カセットに取り付けた本発明にかかる装置の略断面図である。
【図２】  紙幣カセットに取り付けた本発明にかかる装置の長手方向の略断面図である。
【図３】  本発明にかかる装置の略底面図である。
【図４】  本発明にかかる装置の長手方向の略分解図である。
【図５】  図３の線Ｖ−Ｖで見た装置の略端面図である。
【図６】  図３の線ＶＩ−ＶＩで見た略断面図である。
【図７】  安全で未作動状態の装置を示す、図３の線ＶＩＩ−ＶＩＩで見た略断面図である。
【図８】  作動状態の装置を示す、図３の線ＶＩＩ−ＶＩＩで見た略断面図である。
【図１】
0004338309.tif 000002
【図２】
0004338309.tif 000003
【図３】
0004338309.tif 000004
【図４】
0004338309.tif 000005
【図５】
0004338309.tif 000006
【図６】
0004338309.tif 000007
【図７】
0004338309.tif 000008
【図８】
0004338309.tif 000009